(57)【要約】      （修正有）【課題】注射器の使用者が注射器を物理的に保持せずに骨セメント組成物を注射器内に移動するのに役立つ装置を提供する。【解決手段】注射器３０と共に使用するためのスタンド１０が開示されている。スタンドは、ベース１２と、ベースに取り付けられたクリップとを含む。注射器の遠位端がベースから垂直方向に離間するような位置に注射器をスタンドに取り外し可能に固定するために、クリップは注射器の一部と係合する。好ましくは、注射器は、そのバレル３２から外向きに延びるハンドル５０を含み、クリップが係合する特徴は、注射器のハンドルを含む。【選択図】図１
2007216009.tif 000002
【特許請求の範囲】
【請求項１】
注射器と共に使用するためのスタンドであって、
ベースと、
前記注射器の遠位端が前記ベースから垂直方向に離間するよう、前記注射器を当該スタンドに取り外し可能に固定するために、前記ベースに取り付けられ、且つ、前記注射器の特徴と係合するように構成される支持体とを含む、
スタンド。
【請求項２】
前記支持構造は、当該スタンド内に配置される前記注射器の一部と係合するよう構成されるクリップを含む、請求項１に記載のスタンド。
【請求項３】
前記注射器は、そのバレルから外向きに延びるハンドルを含み、前記クリップが係合する前記特徴は、前記注射器の前記ハンドルを含む、請求項２に記載のスタンド。
【請求項４】
前記クリップは、互いに実質的に平行な第一表面及び第二表面を含み、前記第一表面及び前記第二表面は、互いに面し合い、前記第一表面が前記ハンドルの第一地域と接触し、前記第二表面が前記ハンドルの第二地域と接触するよう離間し、前記ハンドルの前記第一地域及び前記第二地域は、前記ハンドルの反対側に配置される、請求項３に記載のスタンド。
【請求項５】
前記ベースは、前記注射器の近位端の付近で、前記注射器の前記バレルの一部と接触するための表面をさらに含む、請求項４に記載のスタンド。
【請求項６】
前記支持構造は、前記ベースから延びる突起を含み、該突起は、前記注射器の前記近位端と係合するよう構成される、請求項１乃至５のうちいずれか１項に記載のスタンド。
【請求項７】
前記突起は、前記注射器内で圧力嵌めを形成する、請求項６に記載のスタンド。
【請求項８】
当該スタンドは、前記注射器の位置を維持するために、前記注射器の前記近位端と前記遠位端との間に配置される前記注射器の一部と接触する支持体をさらに含む、請求項６及び７のうちいずれか１項に記載のスタンド。
【請求項９】
前記支持構造は、当該スタンドの頂部に形成される開口を含み、前記頂部は、前記ベースから延びる、請求項１乃至８のうちいずれか１項に記載のスタンド。
【請求項１０】
前記開口は、前記注射器の前記特徴との圧力嵌めを維持するよう構成される、請求項９に記載のスタンド。
【請求項１１】
前記開口は、第一突起、第二突起、及び、第三突起を含み、前記第一突起、前記第二突起、及び、前記第三突起のそれぞれは、前記ノズルが前記開口内に配置されるときに、前記注射器の前記特徴との少なくとも１つの接触地点を形成する、請求項９又は１０のいずれか１項に記載のスタンド。
【請求項１２】
前記注射器は、近位端を有するプランジャを有し、前記開口内に係合される前記特徴は、前記プランジャの前記近位端である、請求項９乃至１１のうちいずれか１項に記載のスタンド。
【請求項１３】
前記注射器は、ノズルを有し、前記開口内に係合される前記特徴は、前記注射器の前記ノズルである、請求項９乃至１１のうちいずれか１項に記載のスタンド。
【請求項１４】
当該スタンドの前記ベースで当該スタンドに取り付けられるパッケージ部をさらに含み、該パッケージ部は、前記注射器をその内部に実質的に水平位置に固定するために構成された第一区画を含む、請求項１乃至１３のうちいずれか１項に記載のスタンド。
【請求項１５】
前記パッケージ部は、構成要素をその内部に収容するための第二区画をさらに含む、請求項１４に記載のスタンド。
【請求項１６】
材料を送り出すために注射器を準備する方法であって、
表面に安定的に載るために構成されるベースを有し、且つ、前記注射器の一部と係合するよう構成された支持構造を有するスタンドを、前記表面の上に配置するステップと、
前記注射器の遠位端が前記ベースから垂直方向に離間するような位置に前記注射器を前記スタンドに取り外し可能に固定するために、前記注射器の一部を前記支持構造と係合するステップとを含む、
方法。
【請求項１７】
前記注射器は、前記遠位端と近位端との間に延びるバレルをさらに含み、前記注射器は、その前記近位端が、前記スタンドの前記ベースに隣接して位置付けられ、前記バレルが、前記表面に対してある角度でベースから離間して延びるよう位置付けられる、請求項１６に記載の方法。
【請求項１８】
前記注射器は、そのバレルから外向きに延びるハンドルをさらに含み、前記支持構造は、前記ベースに取り付けられるクリップを含み、前記注射器の一部を前記クリップと係合するステップは、前記ハンドルを前記クリップと組み立てるステップを含む、請求項１６又は１７に記載の方法。
【請求項１９】
前記注射器の前記支持構造は、突起を含み、前記注射器は、近位端を含み、前記注射器の一部を前記支持構造と係合するステップは、前記突起を前記注射器の前記近位端と係合するステップを含む、請求項１６乃至１８のうちいずれか１項に記載の方法。
【請求項２０】
前記支持構造は、前記スタンドの頂部に形成される開口を含み、該開口は前記スタンドの前記ベースから延在し、前記注射器は、ノズルをさらに含み、前記注射器の一部を前記支持構造と係合するステップは、前記注射器の前記ノズルを前記スタンドの前記開口と係合するステップを含む、請求項１６に記載の方法。
【請求項２１】
前記支持構造は、前記スタンドの頂部に形成される開口を含み、該開口は、前記スタンドの前記ベースから延在し、前記注射器は、近位端を有するプランジャをさらに含み、前記注射器の一部を前記支持構造と係合するステップは、前記プランジャの前記近位端を前記スタンドの前記開口と係合するステップを含む、請求項１６に記載の方法。
【請求項２２】
材料を送り出すための注射器であって、
近位端と遠位端とを有するバレルを含み、
該バレル内に摺動可能に係合されるプランジャ先端を含み、前記バレルの内壁とプランジャ先端の外周との間にシールを形成し、
前記プランジャ先端に取り外し可能に取り付けられるプランジャロッドを含み、該プランジャロッドは、前記プランジャ先端に取り付けられ且つ取り外され得ると同時に、前記プランジャ先端は、前記バレル内に摺動可能に係合される、
注射器。
【請求項２３】
ａ．バレルと、
ｂ．ノズルと、
ｃ．プランジャとを含む、
注射器であって、
前記バレルは、近位部分及び遠位部分に分割され、前記近位部分及び前記遠位部分は、当該注射器の前記バレル内に開口をもたらすよう分離可能である、
注射器。
【請求項２４】
その近位端と遠位端との間に延在するバレルを含む注射器と、
ベースと、該ベースに取り付けられるクリップとを含むスタンドとを含み、
前記クリップは、前記注射器の前記遠位端が前記ベースから垂直方向に離間するような位置に前記注射器を前記スタンドに取り外し可能に固定するために、前記注射器の一部と係合するよう構成される、
キット。
【請求項２５】
前記スタンドは、パッケージ部をさらに含み、該パッケージ部は、前記注射器をその内部に取り外し可能に保持するための区画を含む、請求項２４に記載のキット。
【発明の詳細な説明】
【技術分野】
【０００１】
（関連する出願の相互参照）
この出願は、２００６年９月１５日に出願された米国出願第１１／５２２，２２４号及び２００６年１月３０日に出願された米国特許第１１／３４３，１８３号の一部継続出願であり、それらの開示を参照としてここに引用する。
【０００２】
本発明は、医療分野において使用される注射器、注射器及びスタンド、並びに、パッケージに関し、整形外科分野に具体的な用途を有する。
【背景技術】
【０００３】
多くの整形外科処置は、多様な種類の骨セメント組成物のうちのいずれか１つの使用を必要とする。そのような組成物は、整形外科処置中の骨の硬化及び骨への移植片又は他の装置の固定の双方に役立つ。骨セメント組成物における進歩は、急速に硬化する骨セメント組成物をもたらし、それらは有利である。何故ならば、それらは手術に要する時間及び手術後の回復に必要な時間の双方を短縮するからである。一部の形態の骨セメント組成物は、加熱によって活性化される。加熱活性骨セメント組成物は、熱源への露出によって、固体に硬化させられる。特に、加熱活性骨セメント組成物は理想的である。何故ならば、それらはそれらが配置される被移植体によってもたらされる体熱に応答して硬化するからである。さらに、一部の処理は、そのような組成物が注射器を使用して射出されることを必要とする。
【０００４】
注射器を使用して骨セメント組成物を被移植体内に射出する準備をするときに、特定の問題が生じる。具体的には、セメント組成物を混合装置から注射器内に移動する試みをするときに、問題が生じる。この問題を解決するために、様々な解決策が提案された。それらは、セメント組成物を混合し或いは移動するために、複雑なポンプ及び管の使用を必要とし得る。さらに、使用者が注射器を保持せずにセメント組成物を注射器内に移動するのを許容する装置は提案されていない。これは、特に、加熱活性骨セメント組成物の使用について問題を示す。何故ならば、使用者の手からの熱が注射器の温度を上昇し、その内部の骨セメント組成物を硬化させ、注射器内に含まれる固体塊となり、もはや使用可能でないからである。
【発明の開示】
【発明が解決しようとする課題】
【０００５】
従って、注射器の使用者が注射器を物理的に保持せずに骨セメント組成物を注射器内に移動するのに役立つ装置を提供することが理想的である。
【課題を解決するための手段】
【０００６】
本発明は、特徴を有する注射器と共に使用するためのスタンドに関し、スタンドは、ベース部と、頂部とを有する。頂部は、その内部に形成された開口を有し、開口は、注射器の特徴と係合するよう構成される。頂部は、注射器の特徴が開孔内に係合されるときに、注射器が直立位置に維持されるよう、ベース部に対して位置付けられる。注射器の特徴をより良好に係合するために、開口の好適実施態様は、特徴と圧力嵌めを形成するよう構成される一連の突起及び凹部を含む。
【０００７】
本発明の具体的な実施態様は、バレルとノズルとを有する注射器と使用するためのスタンドを含み、スタンドは、ベース部と、頂部とを有する。頂部は、その内部に形成される開口を有し、開口は、注射器のノズルと係合するよう構成される。頂部は、注射器のノズルが前記開口と係合するときに、注射器が直立位置に維持されるよう、ベース部に対して位置付けられる。
【０００８】
本発明の代替的な実施態様は、近位端を備えるプランジャを有する注射器と共に使用するためのスタンドを含み、スタンドは、ベース部と、頂部とを有する。頂部は、その内部に形成される開口を有し、開口は、注射器のプランジャの近位端と係合するよう構成される。頂部は、近位端が開口内に係合されるときに、注射器が直立位置に維持されるよう、ベース部に対して位置付けられる。
【０００９】
本発明のさらなる実施態様において、本発明の１つの実施態様に従うスタンドは、スタンドのベースでスタンドに取り付けられるパッケージ部をさらに含む。パッケージ部は、好ましくは、スナップ通路の形態の区画を含み、区画は、特にパッケージ内での注射器の搬送及び保管中に、注射器を実質的に水平位置にパッケージ内に保持するよう構成される。この実施態様は、骨セメント成分用の容器、混合装置、及び、注射器用の付属物のような骨セメント準備に関連する追加的な区画をパッケージ部内にさらに含み得る。
【００１０】
本発明のさらなる実施態様は、近位端と遠位端とを有する注射器と共に使用するためのスタンドを含む。スタンドは、ベースと、ベースから延びる突起とを含む。突起は、注射器の遠位端が近位端の垂直位置よりも上に垂直位置を有するような位置に注射器を維持するために、注射器の近位端と係合するよう構成される。突起は、注射器内の近位端内に延び、且つ／或いは、注射機内の圧力嵌めを形成するよう構成され得る。
【００１１】
本発明のスタンドは、注射器の位置を維持するために、注射器の近位端と遠位端との間に配置される注射器の一部と接触する支持体を含み得る。注射器は、部れるから外向きに突出し、且つ、注射器の近位端と遠位端との間に位置付けられる、第一ハンドルと、第二ハンドルとを含み得るし、支持体は、第一ハンドル及び第二ハンドルと接触し得る。
【００１２】
好ましくは、本実施態様に従ったスタンドは、注射器の長手軸が、スタンドが配置される表面に対してある角度に維持されるよう構成される。好適実施態様において、角度は、約４０〜７０度の間であり、好ましくは、約４５度である。
【００１３】
本発明の代替的な特徴は、注射器との使用のためのスタンドに関係し、ベースと、ベースに取り付けられるクリップとを含む。クリップは、注射器の遠位端がベースから垂直方向に離間するような位置に注射器をスタンドに取り外し可能に固定するために、注射器の一部と係合する。好ましくは、注射器は、そのバレルから外向きに延びるハンドルを含み、クリップが係合する特徴は、注射器のハンドルを含む。
【００１４】
更なる実施態様において、クリップは、互いに実質的に平行な第一表面及び第二表面を含む。第一表面及び第二表面は、互いに面し合い、第一表面がハンドルの第一地域と接触し、第二表面がハンドルの第二地域と接触するよう離間する。ハンドルの第一地域及び第二地域は、ハンドルの反対側にある。好ましくは、スタンドのベースは、クリップと注射器のハンドルとの間の圧力嵌めに寄与するために注射器の近位端付近で注射器のバレルの一部と接触するための表面をさらに含む。さらに好ましくは、クリップの第二表面は、注射器のハンドルの第三地域と接触するために、第二表面から延びる突起を含む。
【００１５】
本発明のさらなる代替的な特徴は、注射器と共に使用するためのスタンドに関し、ベースと、ベースに取り付けられ、且つ、注射器の遠位端がベースから垂直に離間するよう注射器をスタンドに対して取り外し可能に肯定するために、注射器の一部と係合するよう構成される支持構造とを含む、
【００１６】
本発明は、材料を送り出すために注射器を準備する方法も含み、該方法は、注射器を提供するステップを含み、注射器の特徴と係合し得る開口を有するスタンドを提供するステップとを含み、スタンドは、注射器を直立位置に維持可能であり、注射器が直立位置に維持されるよう、注射器の特徴を開口内に挿入するステップを含み、且つ、ある量の材料を注射器内に堆積するステップを含む。
【００１７】
本発明は、材料を送り出すために注射器を準備する代替的な方法をさらに含む。本方法は、近位端と、遠位端と、近位端と遠位端との間に延在するバレルとを有する注射器を提供するステップを含み、バレルは、材料を受容するための内部キャビティを有する。本方法は、ベースから延びる突起を含むスタンドを提供するステップと、注射器の遠位端が近位端の垂直位置の上に垂直位置を有するような位置に注射器を維持するために、突起が注射器の近位端と係合するよう、注射器をスタンド上に位置付けるステップも含む。
【００１８】
本方法のスタンドは、そのベースに取り付けられる支持体をさらに含む。注射器を位置付けるステップは、支持体に対して位置するよう、バレルの一部を位置付けるステップを含む。さらに、本発明の注射器のバレルは、内面を有する第一ハンドルと、内面を有する第二ハンドルとを含み得る。第一ハンドル及び第二ハンドルは、バレルから突出する。追加的に、本方法のスタンドの支持体は、その上面を有する第一ペデスタルと、その頂面を有する第二ペデスタルとを含み得る。そのような注射器をそのようなスタンド上に位置付けるステップは、第一ハンドルの内面の一部を第一ペデスタルの頂面と接触して配置するステップと、第二ハンドルの内面の一部を第二ペデスタルの頂面と接触して配置するステップとを含み得る。
【００１９】
材料を送り出すために注射器を準備する代替的な方法は、スタンドを表面の上に配置するステップを含み、スタンドは、表面上に安定的に位置するよう構成されるベースを有し、且つ、注射器の一部と係合するよう構成される支持構造を有する。本方法は、注射器の遠位端がベースから垂直に離間するような位置に注射器をスタンドに取り外し可能に固定するために、注射器の一部を支持構造と係合するステップをさらに含む。注射器は、そのバレルから外向きに延びるハンドルを含み得る。支持構造は、、ベースに取り付けられるクリップを含み得る。注射器の一部をクリップと係合するステップは、ハンドルをクリップと組み立てるステップを含み得る。
【００２０】
好適実施態様において、注射器は、遠位端と近位端との間に延在するバレルを含み、注射器は、注射器の近位端がスタンドのベースに近接して位置付けられ、且つ、バレルが表面に対してある角度でベースから離れて延びるよう位置付けられる。角度は、好ましくは、３０〜９０度の間であり、より好ましくは、角度は約４５度である。
【００２１】
本発明は、その内部に、注射器と、射出可能な骨セメント成分を形成するために用いられる成分と、骨セメント成分を混合するのに使用される容器とを有するキットも含む。本発明のキットは、ベース部と、上部とを含むスタンドをさらに含み得る。スタンドの頂部は、その内部に形成される開口を有し、開口は、注射器の特徴と係合するよう構成される。頂部は、注射器の特徴が開口内に係合されるときに、注射器が直立位置に維持されるよう、ベース部に対して位置付けられる。スタンドは、キットのための他の構成要素を収用するためのパッケージ部をさらに含み得る。さらなる実施態様において、キットは、骨セメント組成物を形成するのに使用される成分の老化を防止する乾燥剤、具体的には、粉末の形態にあり得る乾燥剤を含み、より具体的には、それらの粉末は、他よりも水分の影響をより受けやすい。
【００２２】
代替的に、本発明の実施態様に従うキットは、材料を送り出すための注射器を含む。注射器は、近位端と遠位端とを有するバレルと、バレル内に摺動可能に係合されるプランジャ先端とを有することで、バレルの内壁とプランジャ先端の外周との間にシールを形成する。本発明のキットは、ベースと、ベースから延びる突起とを有するスタンドも含む。突起は、注射器の遠位端が近位端の垂直位置より上に垂直位置を有するような位置に注射器を維持するために、注射器の近位端と係合するよう構成される。
【００２３】
本発明の代替的な実施態様は、注射器とスタンドとを含むキットに関する。注射器は、その近位端と遠位端との間に延在するバレルを有する。スタンドは、ベースと、ベースに取り付けられるクリップとを含む。クリップは、注射器の遠位端がベースから垂直に離間するような位置に注射器をスタンドに取り外し可能に固定するために、注射器の一部と係合するよう構成される。キットは、パッケージ部をさらに含み、パッケージ部は、その内部に注射器を取り外し可能に保持するための区画を含み得る。
【００２４】
本発明は、スタンドと共に使用するための注射器をさらに含み、注射器は、バレルと、ノズルと、プランジャとを含む。バレルは、近位部分と遠位部分とに分割され、近位部分及び遠位部分は、注射器のバレル内に開口をもたらすよう分離可能である。
【００２５】
本発明のさらなる実施態様は、材料を供給するための注射器を含む。この実施態様の注射器は、近位端と遠位端とを有するバレルと、バレル内に摺動可能に係合されるプランジャ先端とを含み、バレルの内壁とプランジャ先端の外周との間にシールを形成する。プランジャロッドが、プランジャ先端部に取り外し可能に取り付けられ、プランジャロッドは、プランジャに取り付けられ且つ取り外され得ると同時に、プランジャ先端は、バレル内に摺動可能に係合される。
【００２６】
本実施態様の注射器は、遠位端がバレルへのアクセスのための開口を形成し、開口は、バレルの直径と実質的に等しい直径を有するようであり得る。注射器は、開口の遠位端に取り外し可能に取り付けられ得るノズルをさらに含み得る。ノズルは、バレルの直径よりも小さい直径を備える開口を有する。代替的に、本実施態様の開口は、バレルの遠位端に取り外し可能に取り付けられ得る漏斗を含み得る。漏斗は、バレルの開口の地域と少なくとも同じぐらいの大きさの地域を備える開口を有する。
【００２７】
前記に依存して、或いは、前記と関連して、本発明の注射器は、使用者の手からの熱並びに注射器内で利用される急速硬化骨セメント又は他の接着剤又は化合物に対するその潜在的な効果を中和する目的のために、そこから外向きに延びる複数のリブを含む外周を有するバレルを含み得る。
【００２８】
その非限定的な実施態様の以下の詳細な記載を読むことにより並びに添付の図面を検討することにより、本発明はより良好に理解されよう。
【発明を実施するための最良の形態】
【００２９】
図面に関して例証され且つ記載されるべき主題の好適実施態様を記載するに当たっては、明瞭性の故に特定の用語が用いられる。しかしながら、本発明は、そのように選択される特定の用語に限定されることは意図されず、各特定の用語は、類似の目的を達成するために類似の方法で動作する全ての技術的な均等物を含むことが理解されるべきである。
【００３０】
図面を参照すると、同等の参照番号は同等の素子を示し、本発明の１つの実施態様に従って、参照番号１０によって概ね指し示される注射器スタンドが図１に示されている。好適実施態様において、スタンド１０は、ベース部１２と、頂部１４とを含む。図１に示されるようなベース１２の形状は、実質的に矩形であるが、ベース１２は、如何なる特定の形状の使用を必要としない。しかしながら、ベース１２は、スタンド１０が使用中に表面上に安定して位置するのを許容するよう構成されるべきである。図２に示されるように、ベース１２は、使用中に注射器３０を安定して支持するのに十分な幅の平坦な底部２４を含み得る。好ましくは、平坦な底部２４は、その上に形成されたフランジ２６を含む。さらに好適な実施態様において、図４乃至６に示されるように、スタンド１０は、好ましくはベース１２に取り付けられるパッケージ部７０を含む。パッケージ部は、注射器３０、注射器３０に関連して使用される他の工具又は材料と共に輸送し且つ保管するのに有用である。
【００３１】
スタンド１０は、好ましくは、プラスチック、又は、ポリエチレンのような如何なる他の適切な高分子材料からも形成される。スタンド１０を形成するために使用される材料の厚さ及び組成は、可撓なスタンド１０をもたらさなければならない。好ましくは、スタンド１０は、真空成形又は他の類似の方法によって形成される。好ましくは、スタンド１０の三次元形状を形成するために成形される薄い一体の材料から形成されるよう、スタンド１０はブリスターパックの形態である。この結果、概ね中空の内部（図示せず）を有するスタンドが得られる。スタンド１０を構成する材料は、可撓であるのに十分なほどに薄くなければならないが、注射器３０の適当な特徴と安全に係合するよう剛的であるのに十分なほどに厚くなければならない。そのような特徴は、バレル３２（その如何なる部分をも含む）と、バレル３２に取り付けられたハンドル５０とを含み得るが、好ましくは、ノズル３４又はプランジャ４４の近位端４６を含む。
【００３２】
本発明の１つの実施態様において、スタンド１０の頂部１４は、その内部に形成された開口１６を除き、概ね平面的である。開口１６は、注射器３０のノズル３４を収容するよう構成され且つ寸法取られ、円形からより複雑な幾何学的設計までの多様な形状を取り得る。一般的に、開口１６は、ノズル３４と圧力嵌めを形成するような寸法でなければならない。例えば、もしノズル３４が実質的に円形であるならば、開口１６も円形であり、ノズル３４の直径よりも僅かに少ない直径を有し得る。
【００３３】
開口１６とノズル３４との間に形成される圧力嵌めは、注射器がスタンド内に挿入されるときに、注射器を直立位置に保持するのに十分でなければならない。本発明の目的のために、直立は、完全に垂直な位置（スタンド１０が位置する表面に対して直交）に限定されず、注射器３０の如何なる向きも含み、射出可能材料８０を注射器３０内に堆積する開口は、スタンド内に挿入される注射器の部分の高さよりも垂直方向に大きな高さを有する。
【００３４】
注射器が設計される用途に依存して、注射器３０はサイズが異なり得る。従って、開口１６は、これらの多様なサイズの具体的な１つと適合するような寸法とされる。理想的には、注射器３０は、注射器３０のノズル３４のサイズと適合する適当なサイズの開口１６を有するスタンド１０と共にパッケージ化される。好適な実施態様において、スタンド１０は、注射器３０のためにパッケージング７０の一部と一体的に形成される。
【００３５】
好適実施態様において、開口１６は、注射器３０の肩部３８が頂部１４と接触し、且つ、ノズル３４のポート３６が開口１６の底面２２と接触するような距離で頂部１４の下に位置付けられる底部２２を有する。そのような構成は、注射器３０がスタンド１０内で直立に保持されるときに、注射器３０内に配置される材料がノズルから漏れ出すのを防止する。
【００３６】
図５に示されるように、スタンド１０の好適実施態様は、一連の突起１８及び付随する凹部２０を形成する形状を有する開口１６を含む。開口１６の形状において如何なる数の突起１８及び凹部２０をも使用し得るが、開口１６は少なくとも３つの突起１８及び３つの凹部２０を有するのが好ましい。そのような構成において、突起１８はノズル３４と接触するのに対し、凹部２０はそこから離間する。突起１８は、ノズル３４と圧力嵌めを形成するような寸法とされる。１つの実施態様において、開口１６は、１つの突起１８及び１つの凹部を有し、ノズル３４は凹部２０の一部及び突起と接触する。好適実施態様において、開口１６は先細にされ、その底部２２に向かってよりも頂部１４に向かってより大きな直径を有する。
【００３７】
今や図３を参照すると、本発明の代替的な実施態様において、開口１１６は、プランジャ１４４の近位端１４６と係合するよう構成されている。プランジャ１４４は、注射器と関連して通常使用される型である。具体的には、プランジャ１４４は円筒形の形状であり、注射器１３０の開放端１４０内に適合するような寸法とされている。プランジャ１４４は、典型的には、注射器１３０のバレル１３２の内部の間のシールをもたらす先端１４８を含む。先端１４８とバレル１３２との間のシールは、好ましくは、流体を通さない。さらに、先端１４８とバレル１３２との間に形成されるシールは、それらの間に摩擦力をもたらし、それは、注射器１３０がスタンド１１０内に固定されるときに、バレル１３２の重量を支持するのに十分である。そのような構成は、ノズル３４の開放端を覆うシールを形成する開口１６を構成するためにスタンド１０の他の実施態様に存在する必要を排除する。さらに、本実施態様は、射出可能組成物が注射器１３０内に移動されるときに射出可能組成物内に存在し得る空気ポケット又は気泡の除去を促進する。
【００３８】
プランジャ１４４の近位端１４６は、異なるプランジャ設計の中で形状が異なるが、典型的には、プランジャロッド１４５よりも地域が大きい表面を形成する。開口１１６は、プランジャ１４４の近位端１４６上に存在し得る如何なる特徴をも受容するよう構成され得る。開口１１６は、注射器を直立位置に維持するよう近位端１４６と係合するのに十分な圧力嵌めをもたらす如何なる形状でもあり得る。その最も単純な形態において、開口１１６は、同一平面によって交差されるときに近位端１４６のプロファイルと実質的に適合する、開口を通じる水平面に沿ったプロファイルを有する。好ましくは、開口１１６は、開口１１６の底部１２２でよりも頂面１１４付近でより広いよう先細にされる。この構成は、近位端１４６を開口１１６内に挿入するのに役立つ。
【００３９】
好適実施態様において、開口１１６は、所定数の地点で近位端１４６と接触するよう設計された一連の突起１１８及び凹部１２０を含む。そのような設計において如何なる数の突起１１８及び凹部１２０をも利用し得るが、開口は４つの突起及び４つの凹部を有するのが好ましい。開口１１６、並びに、突起１１８及び凹部１２０の全体的なサイズは、当業者によって決定され得る方法で、近位端１４６の形状に従って異なる。
【００４０】
図３に描写される型の注射器１３０は、本実施態様のスタンドと共に使用するために、並びに、おそらく他の目的のために、特に有利である。注射器１３０のこの変形は、二部バレル構造を有し、バレル１３２は、近位部分１３２ａと、遠位部分１３２ｂとの分割されている。バレル１３２の遠位部分１３２ｂは、ノズル１３４を含み、近位部分１３２ａは、開放端部１４０と、ハンドル１５０とを含む。バレル１３２の近位部分１３２ａ及び遠位部分１３２ｂは、それらの間の相互係合のために設計され、好ましくは、２つの部分１３２ａ及び１３２ｂの間の係合を固定する、ねじ嵌め、圧力嵌め、又は、スナップ嵌めのような機構を含む。図３に示されるように、この機構は、好ましくは、噛合するねじ付き部分１３３ａ及び１３３ｂを含み、近位部分１３２ａ及び遠位部１３２ｂのそれぞれの上に１つある。好ましくは、ねじ付き部分１３３の雄部分１３３ａは、バレル１３２の近位部分１３２ａの上に含まれ、雌ねじ部分１３３ｂは、遠位部分１３２ｂの上に含まれる。
【００４１】
注射器１３０のこの変形は、射出可能物質８８をバレル１３２内に堆積する十分に広い開口１５２をもたらすことによって、スタンド１１０と共に動作する。動作中、プランジャ１４４の近位端１４６は、スタンド１１０の開口１１６内に挿入され、バレル１３２の遠位端は、近位部分１３２ａから取り外される。プランジャ１４４の先端１４８は、注射器１３０が所望の量の射出可能物質８８を含むのを許容するよう、開放端１４０に十分に近接して位置付けられる。バレル１３２内の先端１４８の位置は、先端１４８とバレル１３２の内部との間の摩擦によって維持される。次に、射出可能物質８８が準備され、開口１５２を通じて注射器内に堆積される。次に、バレル１３２の遠位部分１３２ｂが、バレル１３２の近位部分１３２ａ上に再度組み立てられ、注射器１３０は典型的な様式で使用される。
【００４２】
バレル１３２の近位部分１３２ａが、遠位部分１３２ｂよりもバレル１３２全体の大きな部分を表わすことが好ましいが、バレル１３２は、それが分割される目的に依存して、どこででも分割され得る。近位部分１３２ａを充填するために、遠位部分１３２ｂは、ノズル１３４を支持するのに必要なだけの大きさでありさえすればよい。この構成は、バレル１３２の内部が、遠位部分１３２ｂが近位部分１３２ａの上に再度組み立てられる前に、可能な限り大量の射出可能物質８８で充填されることを許容する。この構成は、近位部分１３２ａの上に適合され得る幾つかの選択肢の異なるノズル組立体を有するキットのためにも有利である。好ましくは、そのような異なるノズルは、異なる用途のために異なるサイズであり得るし、外科医は手術中にノズルを選択し得る。最も好ましくは、部分１３２ａ及び１３２ｂを接続するとき、開口１５２は、遠位部分１３２ｂが近位部分１３２ａの上に係合されるときに、遠位部分１３２ｂの肩部１３８の内面と当接する。
【００４３】
本発明の代替的な形態において、凹部は（それがノズルであろうと近位プランジャ部分であろうと）、その内部に保持されるべき注射器の特徴よりも大きく且つより深いパッケージ内に設けられ得るので、注射器はそのように大きく且つ深い凹部内に配置され、直立位置にそのように保持され得る。
【００４４】
今や図４乃至６を参照すると、本発明の好適実施態様において、スタンド１０は、パッケージ７０の一部として形成されている。好ましくは、パッケージ７０は、注射器３０を支持するよう設計される。より好ましくは、パッケージ７０は、骨セメント準備キット用のものである。本発明のこの実施態様に従うキットは、概ねブリスターパックの形態にあり、スタンド１０は、そのベース１２でパッケージ７０に接続されている。スタンド１０は、パッケージ７０内のどこにでも配置され得るが、安定性の目的のために、好ましくは、パッケージ７０の中心付近に配置される。パッケージ７０は、その内部に収容される素子のための様々な区画を有する。そのような素子は、注射器３０をパッケージ７０内で水平位置に安定的に保持するよう特に設計されたスナップ通路７２内に保持される注射器３０を含む。好ましくは、パッケージ７０は、湿式成分容器６０を保持するよう設計された区画７４も含み、湿式成分容器は、普通、第二注射器の形態である。追加的な区画７６も、好ましくは、パッケージ７０内に形成され、その内部に混合スパーテル６２を安定的に保持するような寸法とされている。第四の区画７８が、好ましくは、注射器３０をノズル３４に取り付けるために特に適合されるカニューレ６４を保持し得るよう、パッケージ７０内に形成される。
【００４５】
追加的に、混合ボウル８６は、好ましくは、パッケージ７０を備える。混合ボウル８６は、骨セメント組成物の一部である乾式成分を収容する。好ましくは、湿式成分は、混合ボウル８６内で乾式成分に加えられ、２つの成分は、骨セメント組成物を形成するために、スパーテル６２を使用して一体に混合される。
【００４６】
図６に示されるように、本発明の好適実施態様において、パッケージ７０は、外部トレイ８２内に配置され、外部トレイは、さらに、パッケージ７０及びその内部に保持される構成要素の滅菌性を維持するのに役立つ。次に、蓋が、外部トレイ８２のフランジに取り付けられ、その内部の構成要素をシールする。好ましくは、蓋は、Ｔｙｖｅｋ（ＴＭ）、又は、成分の滅菌性及び完全性を保存するようパッケージ７０の内容物を封止する目的を果たす他の材料で形成される。その内部に形成される対応する区画（図示せず）を有することによって、混合ボウル８６をパッケージ７０内に供給することは可能であるが、混合ボウル８６がパッケージ７０内に含まれず、その他の方法でパッケージに供給されることが好ましい。そのような構成は図６に示されており、混合ボウル８６は、そこに取り付けられた蓋８７を有し、内部ブリスター７１内に形成された区画内に位置し或いは他の方法で固定される。次に、内部ブリスター７１は、外部ブリスター８３内に配置され、外部蓋８５がそこに取り付けられる。組み立てられた外部ブリスター８３及び外部トレイ８２は、それぞれそれらの独自の外部パウチ（図示せず）内に封止され、外部パウチは、好ましくは、フォイルから成る。次に、外部トレイ８２及び外部ブリスター８３は、カートン（図示せず）内に挿入され、カートンは、典型的には、厚紙又は他の類似の材料から成る。
【００４７】
乾燥剤が、好ましくは、混合ボウル８６、又は、スタンド１０に関連して使用される骨セメント組成物の乾式成分を保持するために使用される如何なる他の容器にも含まれる。乾燥剤の包含は、粉末を使用不能にする自由水分の存在下で粉末の「老化」を防止するために、粉末の貯蔵環境が乾燥状態に維持されることを保証する。図６を参照して記載される本発明の具体的な実施態様において、乾燥剤は、乾燥剤パックを外部ブリスター８３と内部ブリスター７１との間で外部ブリスター８３内に配置することによって、混合ボウル８６に含まれる。好ましくは、約１０グラムの色表示シリカゲルを含有する乾燥剤パックが供給されるが、他の入手可能な乾燥剤は、粘土及び塩化カルシウムから成るものを含む。乾燥剤の適切な量は、具体的な用途で異なり、その決定は当該技術分野において概ね理解されている。
【００４８】
パッケージ部７０を含むスタンド１０の特定の用途では、外部パッケージ８２を具備しないパッケージ７０を提供することが望ましくあり得る。そのような場合には、パッケージ７０は、外部フランジ８０を含み、蓋（図示せず）がそこに取り付けられる。
【００４９】
図７乃至１０に示される代替的な実施態様において、スタンド２１０は、ベース２１２から概ね上向きに延びる突起２６０を含む。突起２６０は、注射器１３０のバレル１３２の近位端１４２の開放端１４０内に適合するよう構成されている（図３に概ね示されている）。スタンド２１０は、ベース２１２と一体に形成されたパッケージ部２７０を含むものとして図７乃至９に示されているが、スタンド２１０は、ここに記載された前の実施態様に関して図示され記載されたように、ベース２１２によって支持されて、表面上に自立するよう形成され得る。突起２６０は、バレル１３２の近位端１４２内で圧力嵌めを形成するような形状とされ得る。追加的に、突起２６０は、注射器１３０を独りで直立位置に支持するようなサイズ及び形状とされ得る。代替的に、以下に議論されるように、突起２６０は、注射器を支持するために、トレイ及び／又は注射器の他の構造と共に作用し得る。好適実施態様における突起２６０の形状は、バレル１３２の内部の少なくとも一部の形状と実質的に適合する。例えば、図面に描写されている注射器１３０は、実質的に円筒形の形状のバレル１３２を有し、突起２６０は、バレル１３２のそれと適合するよう、実質的に円筒形の形状を有する。しかしながら、突起２６０とバレル１３２との間の所望の適合を達成する突起のために如何なる形状も使用し得る。また、突起２６０のための部分的に適合する形状も予期される。
【００５０】
代替的に、スタンド２１０は、近位端１４２の遠位に配置されるバレル１３２の一部と接触する支持体をさらに含み得る。図７乃至９に示されるように、支持体は、（図９に最良に示されるように）注射器１３０のハンドル１５０内に適合する一対のペデスタル２６２，２６４の形態である。ペデスタル２６２，２６４は、頂面２６３，２６５をそれぞれ含み、頂面は、ハンドル１５０がペデスタル２６２，２６４によって支持されるよう、好ましくは、それぞれのハンドル１５０の最上部１５１と接触するような形状とされる。好ましくは、頂面２６３，２６５は、注射器１３０のハンドル１５０の形状と適合する輪郭である。例えば、図７乃至９に示されるように、頂面２６３，２６５は、図９及び１０に示される注射器１３０上に含まれるハンドル１５０の特定の形状と適合するよう凹面とされている。
【００５１】
図８乃至１０に示されるように、スタンド２１０は、好ましくは、注射器１３０をベース２１２に対する斜角に保持する。これは、突起２６０を、注射器のための所望の角度と実質的に適合するベース２１２に対する角度に向けることによって達成される。追加的に、ペデスタル２６２，２６４は、注射器１３０を所望の角度に支持するよう位置付けられ得る。頂面２６２，２６５の適切な位置は、開口１４０に対する、具体的には、開口１４０の外側縁部上に形成されたリップ１４１に対するハンドル１５０の場所に依存し、リップ１４１は、ベース２１２と突起２６０との間の交差点に沿う地点でベース２１２に接触し得る。一般的には、ベース２１２に対する注射器１３０の角位置を達成するために、頂面２６３及び２６５は、図１０に示されるように、突起から横方向Ｘ及び垂直方向Ｚに離間する。好ましくは、注射器１３０は、４０度〜７０度の間のベース２１２に対する角度θで位置付けられる。より好ましくは、注射器１３０とベース２１２との間の角度θは、約４５度である。追加的に、図８に示されるように、頂面２６３，２６５は、特に、スタンド２１０が注射器１３０を角位置に保持するよう構成されるときに、ハンドル１５０のための追加的な支持をもたらし得る垂直面を含み得る。
【００５２】
注射器１３０は、本発明のスタンドと共に使用されるために特に適合され得る。図３に関して議論されたように、注射器１３０は、バレル１３２の遠位部分１３２ａに開口１５２を含み、開口は、そこを通じて材料８８が注ぎ込まれ得るバレル１３２へのアクセスを提供する。図８及び９に示されるように、漏斗２７０が、開口１５２でバレル１３２に取り付けられるよう構成され得る。漏斗２７０は、バレル１３２の遠位端１３２ａ上に含まれるねじ付き部分１３３ａのそれと実質的に適合するねじ付き部分（図示せず）を含み得る。漏斗２７０は、如何なる適切な形状から成り得るが、好ましくは、開口端１５２よりも大きな地域を有する開口１７２をもたらす構造とされる。追加的に、漏斗２７０は、注射器が角位置にあるときに注射器１３０内に材料８８を注ぎ込むのに役立つ上向き角付き縁部１７６をもたらすために使用され得る。
【００５３】
さらに、図１１に示されるように、プランジャ１４４は、先端１４８から取り外し可能なロッド１４５を含み得る。そのような構造では、注射器１３０が図７乃至９に示される直立位置にあり、近位端１４２が遠位部分１３２ｂの垂直方向に下にあるときに、材料８８がバレル１３２の近位端１４２を通じて漏れることを防止するよう、注射器１３０がスタンド２１０上に保持されるときに、先端１４８はバレル１３２内で組み立てられる。先端１４８は、好ましくは、その内部に保持され得る材料の量を最大限化すると同時に、突起２６０が適切な距離でバレル１３２内に延びることを許容する位置で、バレル１３２内に配置される。従って、突起２６０は、材料８８が注射器１３０内に注ぎ込まれるときに先端１４８を支持するのを助けるために、プランジャ先端１４８の近位面と接触する頂面２６６を有し得る。注射器１３０がスタンド２１０内に保持されるとき、プランジャロッド１４５は、材料８８がプランジャ１４４を使用して注射器１３０から放出され得るよう、先端１４８と共に組み立てられ得る。先端１４８とロッド１４５との間の取付けを容易化するために、先端は、例えば、ねじ付き孔１４９を含み得るし、ロッド１４５は、ロッドが必要に応じて先端１４８に螺合され且つ分離され得るよう、実質的に噛合するねじ付きポスト１４７を含み得る。この型の注射器１３０と共に使用されるパッケージ分７０は、注射器１３０の輸送及び保管中にプランジャロッド１４５を保持するために使用され得る追加的な室７５を含み得る。
【００５４】
追加的に、図８及び９に示されるように、注射器１３０は、バレル１３２の外面１３１の周りに離間し且つ突出する複数のリブ１８０を含み得る。好ましくは、リブ１８０は、図示のように、近位―遠位方向にバレル１３０に沿って延在する。しかしながら、他の構成も可能である。もし使用者が使用中に注射器１３０を保持する必要があるならば、リブ１８０は、使用者の手をバレル１３２から離間するのを助ける。これは使用者の手からバレル１３２内に収容される材料８８に伝達される熱の量を削減することが意図され、材料８８が加熱活性組成物であるときに特に有利である。好ましくは、４〜８の間のリブ１８０が、バレル１３２の外面１３１の周りに含まれる。漏斗１７０及び／又はノズル１３４も、リブ１８０を含み得る。リブは、これらの特徴がバレル１３２に取り付けられたり或いは取り外されるときに追加的な握りをもたらし得るし、特徴をバレル１３２から差別化し得る。
【００５５】
注射器１３０と共に使用するためのスタンド３１０のさらなる代替的な実施態様が、図１２乃至１４に示されている。スタンド３１０は、注射器１３０を保持するために使用される機構を除き、前の実施態様と類似している。具体的には、スタンド３１０は、注射器１３０を所望位置に保持するために、クリップ３６０を使用している。図１２乃至１４に示されるクリップ３６０の例示的な実施態様は、注射器１３０のバレル１３２の両側から突出する一方又は両方のハンドル１５０の少なくとも一部と圧力嵌めを形成するよう構成されている。しかしながら、クリップ３６０が注射器１３０の他の特徴又は地域と圧力嵌めを形成する他の構成も可能である。よって、この開示の目的のために、「クリップ」は、物体を保持するために、その内部に挿入される物体又は物体の一部と圧力嵌めを形成する構造によって特徴付けられ、圧力嵌めは、好適実施態様において、部分的には、構造の変形を通じて達成される。好ましくは、そのような構造は、クリップ内への被保持物体の挿入の間の瞬間に最大変形位置に部分的に変形することによって、次に、物体がその内部に完全に挿入されたときに最大変形状態から部分的に戻ることによって、物体を保持するようさらに作用し得る。
【００５６】
図１２に示されるように、クリップ３６０は、タブ３６２と、表面３６４とを含み、タブ３６２は、ハンドル１５０の最近位部分と接触する。表面３６４は、タブ３６２の内面に対向し、スタンド３１０に対する注射器の位置を維持するために、ハンドル１５０をその側部に沿って支持するよう配置される。例えば、図１２に示されるように、表面３６４は、スタンド３１０のベース３１２に対して約４５度の角度で位置付けられ、それはベース３１２に対して約４５度の角度で注射器１３０を保持するよう作用する。ベース３１２に対する表面３６４の位置のための他の角度も可能であり、９０度から約３０度までのどこでも、好ましくは、３０度から４０度の間、より好ましくは約４５度を含む。
【００５７】
注射器１３０を保持するのにクリップ３６０と共に作用するように、スタンド３１０に圧痕３６６を形成し得る。図１４に示されるように、圧痕３６６の一部は、注射器１３０のバレル１３２の一部と、具体的には、バレル１３２の近位端で接触する。圧痕３６６とバレル１３２の近位端との間のこの接触は、注射器の角位置をより安定させるために追加的な接触地点を提供することによって、並びに、注射器１３０に対するクリップ３６０の圧力嵌めを増進することによって、スタンド３１０に対する注射器１３０の保持を増進する。圧力嵌めは、図１２乃至１４に描写される例示的な実施態様では、表面３６２に接触する注射器１３０の部分、即ち、ハンドル１５０と、圧痕３６６に接触する部分、即ち、バレル１３２の近位端との間にてこを創成することによって増進される。この構成では、突起３６２は、頂面３６４及び圧痕３６６によって加えられる力に対向してハンドルに力を提供することによって、そのようなてこの支点を提供する。
【００５８】
表面３６４は、そこから延びるバンプ３６８又は他の類似の突起を含み得る。バンプ３６８は、クリップから離れて面するハンドル１５０の表面に当接するよう位置付けられる。図１４に示されるように、バンプ３６８は、ハンドル１５０の最遠位表面に当接し、スタンド３１０に対する注射器１３０の上向きの移動を特に防止するよう作用する。
【００５９】
図１２乃至１４に示されるように、スタンド３１０は、好ましくは、一対のクリップ３６０を含み、それぞれバレル１３２から外向きに突出する一対のハンドル１５０のそれぞれ１つと係合するような大きさとされて位置付けられている。クリップ３６０は、１つが圧痕３６６の各側の上にあるよう位置付けられている。
【００６０】
本発明のさらなる特徴は、上記に議論されたようなスタンドを使用するための方法を含む。１つのそのような実施態様において、図２に従ったスタンド１０並びに注射器３０が設けられている。スタンド１０は、表面上に配置され、注射器は、スタンド内に挿入されている。スタンド１０は、注射器３０をノズル３４に固定する開口１６を有している。スタンド１０は、注射器３０を直立位置に維持するよう設計されている。次に、射出可能物質８８が、注射器３０のバレル３２内に堆積される。この材料は、注射器３０を使用して射出されることが意図されるいずれでもあり得るが、好ましくは、射出可能な骨セメント組成物である。次に、プランジャ４４が、注射器３０のバレル３２内に挿入される。次に、注射器３０は、スタンド１０から取り外される。
【００６１】
本発明のさらなる実施態様では、図４を参照して議論されたようなスタンドが設けられている。スタンド１０は、その搬送又は保管中に、注射器３０をその内部で水平位置に保持するための区画７２を含むパッケージ部７０を含む。好ましくは、パッケージ７０は、スタンド１０に関連して使用される他の装置又は容器を保管するように使用される追加的な区画を収容する。好ましくは、外部トレイ８２は、そのフランジ８４でそこに取り付けられた蓋（図示せず）を有する。先ず、蓋がフランジ８４から取り外され、注射器３０が収容されているスナップ通路７２から取り外される。次に、プランジャ４４が、プランジャ４４を前記バレル３２から引き出すことによって、注射器のバレル３２から取り外される。次に、プランジャ４４は横に置かれ、注射器３０が直立位置にスタンド１０内に挿入される。上記に議論されたような１つの好適実施態様によれば、注射器３０のノズル３４が、スタンド１０の開口１６内に挿入される。代替的な実施態様において、プランジャ１４４の近位端１４６が、その内部に適切に形成された開口１１６内に挿入される。
【００６２】
本発明の好適実施態様において、スパーテル６２が、パッケージ７０内の、好ましくは、スナップ通路の形態の区画７６内に含まれ、液体成分用の容器６０が、パッケージ７０内の区画７４に保持される。スパーテル６２及び容器６０の双方は、パッケージ７０から取り外され、横に置かれる。好ましくは、骨セメント組成物用の乾式成分を収容する混合ボウル８６が設けられる。混合ボウル８６は、そこに取り付けられた蓋８７を含み、それは取り外されて廃棄される。次に、容器６０内の液体成分が、混合ボウル８６内に堆積され、骨セメント組成物を形成するよう湿式成分を乾式成分と完全に混合するために、スパーテル６２が使用される。湿式及び乾式成分の混合から均一な混合が達成されるや否や、混合ボウル８６は、用途によって異なる注射器３０の適当な開口付近に配置される。もし注射器のノズル３４が開口１６内に挿入されるならば、この開口は開放端４０であり得る。代替的に、もしプランジャ１４４の近位端１４２が開口１１６内に挿入されるならば、混合ボウルは開口１５２付近に配置される。次に、混合ボウル８６は、射出可能物質８８が注射器３０のバレル３２に流入するよう傾斜される。もし必要であるならば、このプロセスを助けるために、スパーテル６２が使用される。
【００６３】
射出可能物質８８の所望の量が注射器３０内に移動されるや否や、プランジャ４４は、バレル３２内に再挿入される。図１を参照して議論された本発明の実施態様において、プランジャ４４は、プランジャ４４の先端４８が注射器３０内の射出可能物質８８の上面と接触するまで、バレル３２内に前進される。このプロセスを助けるために、プランジャ４４は、プランジャ４４の先端４８内の小さなオリフィスで開始しプランジャ４４の近位端４６まで続く空気解放ポート（図示せず）を含み得る。この構成は、射出可能物質８８をノズル３４を通じて注射器３０から押し込むことなしに、射出可能物質８８の表面の上にある注射器３０内の如何なる空気も注射器３０の内側から漏れるのを許容する。
【００６４】
本発明の好適実施態様において、パッケージ７０は、カニューレ６４保持区画７６をさらに含む。この実施態様では、カニューレ６４が区画７８から取り外され、次に、注射器３０がスタンド１０から取り外される。次に、カニューレ６４は、注射器３０のノズル３４上に組み立てられる。雄ねじ部分及び雌ねじ部分の組み込みは、そのような組立てに役立つ。この方法は、好ましく急速硬化骨セメント組成物である射出可能物質８８を備える注射器３０の迅速で効率的な搭載を許容する。それは、一人の使用者によるより正確な注射器３０の充填も許容する。
【００６５】
図７乃至１０及び図１２乃至１４にそれぞれ示されるような、注射器１３０を備えるスタンド２１０又はスタンド３１０のいずれかを使用するための方法が、上記に議論された方法に関するのと類似の方法で行われる。追加的に、ノズル１３４をそこに組み立てる前に、漏斗１８０がバレル１３２から取り外され、スタンド２１０又は３１０からの注射器１３０の取り外し後に、プランジャロッド１４５が、バレル１３２内に位置付けられる先端１４８に組み立てられる。
【００６６】
骨セメント組成物が加熱活性であるか否かに拘わらず、本発明に従ったスタンドが好ましい。何故ならば、骨セメント組成物が硬化する前に被移植体内に射出するために、如何なる高速硬化骨セメント組成物も、迅速に混合され、且つ、注射器３０内に堆積されなければならないからである。さらに、骨セメント組成物及び他の追加的な材料は、注射器の頂部から装填されるので、注射器３０を充填する試みをする一人の人が困難を経験する。
【００６７】
明細書を通じて言及される注射器３０は、任意の使用分野に関連する任意の型であり得る。好適実施態様において、注射器３０は医療装置に関連し、より具体的には、整形外科において使用される装置、特に、急速硬化骨セメント組成物の送出しに関連する。しかしながら、他の分野における注射器３０の変形も、本発明と共に使用され得ることが予期される。
【００６８】
ここにおいて本発明は具体的な実施態様を参照して記載されたが、これらの実施態様は本発明の原理及び用途を例証しているに過ぎないことが理解されるべきである。従って、例示的な実施態様に対して多くの変更を行い得ること、並びに、添付の請求項によって定められる本発明の精神及び範囲から逸脱せずに他の構成を案出し得ることが理解されるべきである。
【図面の簡単な説明】
【００６９】
【図１】本発明の１つの実施態様に従った注射器及びスタンドを示す斜視図である。
【図２】本発明のさらなる実施態様に従った注射器及びスタンドを示す斜視図である。
【図３】本発明の方法におけるステップ中の本発明の代替的な実施態様に従った注射器及びスタンドの組立て状態を示す斜視図である。
【図４】本発明のさらなる実施態様に従った注射器及びスタンドを示す斜視図である。
【図５】本発明の実施態様に従ったスタンドを示す上面図である。
【図６】本発明の１つの実施態様に従った注射器並びにそれと共に使用するためのスタンド及び構成要素を含むキットを示す斜視図である。
【図７】本発明の１つの実施態様に従ったスタンドを示す斜視図である。
【図８】本発明の１つの実施態様に従った注射器を保持する図７に示されるスタンドを示す断面図である。
【図９】図７に示されるスタンド及び注射器を示す斜視図である。
【図１０】本発明の１つの実施態様に従った注射器を保持する図７及び８に示されるようなスタンドを示す断面図である。
【図１１】図７乃至１０に示されるようなスタンドと共に使用するよう構成された注射器を示す断面図である。
【図１２】本発明の１つの代替的な実施態様に従った注射器及びスタンドを示す斜視図である。
【図１３】スタンドと共に組み立てられた注射器と共に線Ａ−Ａに沿って取られた図１２に示されるスタンドを示す断面図である。
【図１４】スタンドと共に組み立てられた断面図で示される注射器と共に線Ｂ−Ｂに沿って取られた図１２に示されるスタンドを示す断面図である。
【符号の説明】
【００７０】
１０      スタンド
１２      ベース
１４      頂部
１６      開口
１８      突起
２０      凹部
２２      底面
２４      底部
２６      フランジ
３０      注射器
３２      バレル
３４      ノズル
３６      ポート
３８      肩部
４４      プランジャ
４６      近位端
５０      ハンドル
６０      湿式成分容器
６２      スパーテル
６４      カニューレ
７０      パッケージ（部）
７１      内部ブリスター
７２      スナップ通路
７４      区画
７６      区画
７８      区画
８０      射出可能材料
８２      外部トレイ
８３      外部ブリスター
８５      外部蓋
８６      混合ボウル
８７      蓋
８８      射出可能物質
１００    スタンド
１１６    開口
１４０    注射器
１３１    外面
１３２    バレル
１３２ａ  近位部分
１３２ｂ  遠位部分
１３３    ねじ付き部分
１３３ａ  雄ねじ部分
１３３ｂ  雌ねじ部分
１３８    肩部
１４０    開放端（開口）
１４４    プランジャ
１４５    ロッド
１４６    近位端
１４７    ポスト
１４８    先端
１５０    ハンドル
１５１    最上部
１５２    開口
１７０    漏斗
１７２    開口
１７６    上向き角付き縁部
１８０    リブ
２１０    スタンド
２１２    ベース
２６０    突起
２６２    ペデスタル
２６３    頂面
２６４    ペデスタル
２６５    頂面
２７０    パッケージ部
３１０    スタンド
３６０    クリップ
３６２    タブ
３６４    表面
【図１】
2007216009.tif 000003
【図２】
2007216009.tif 000004
【図３】
2007216009.tif 000005
【図４】
2007216009.tif 000006
【図５】
2007216009.tif 000007
【図６】
2007216009.tif 000008
【図７】
2007216009.tif 000009
【図８】
2007216009.tif 000010
【図９】
2007216009.tif 000011
【図１０】
2007216009.tif 000012
【図１１】
2007216009.tif 000013
【図１２】
2007216009.tif 000014
【図１３】
2007216009.tif 000015
【図１４】
2007216009.tif 000016
【外国語明細書】
2007216009.tif 000017
2007216009.tif 000018
2007216009.tif 000019
2007216009.tif 000020
2007216009.tif 000021
2007216009.tif 000022
2007216009.tif 000023
2007216009.tif 000024
2007216009.tif 000025
2007216009.tif 000026
2007216009.tif 000027
2007216009.tif 000028
2007216009.tif 000029
2007216009.tif 000030
2007216009.tif 000031
2007216009.tif 000032
2007216009.tif 000033
2007216009.tif 000034
2007216009.tif 000035
2007216009.tif 000036
2007216009.tif 000037
2007216009.tif 000038
2007216009.tif 000039
2007216009.tif 000040
2007216009.tif 000041
2007216009.tif 000042
2007216009.tif 000043
2007216009.tif 000044
2007216009.tif 000045
2007216009.tif 000046
2007216009.tif 000047
2007216009.tif 000048
2007216009.tif 000049
2007216009.tif 000050
2007216009.tif 000051
2007216009.tif 000052
2007216009.tif 000053
2007216009.tif 000054
2007216009.tif 000055
2007216009.tif 000056
2007216009.tif 000057
2007216009.tif 000058
2007216009.tif 000059
2007216009.tif 000060
2007216009.tif 000061